【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
オーディオ入力信号xに透かし入れするための量子化インデックス変調の方法であって、種々の量子化器曲線が前記入力信号xを量子化して透かし入れされた信号を出力するために使われ、量子化器曲線の現在の特性が、透かしメッセージmの現在の内容によって制御され、前記量子化器曲線は、三つの接続された線形セクション、すなわち出力値yがy＝αx、α＜1によって計算されるx値についての中央セクション（II）、出力値yがy＝x＋Tによって計算される負のx値についての第一の隣接セクション（I）および出力値yがy＝x−Tによって計算される正のx値についての第二の隣接セクション（III）からなり、Tは前記量子化器曲線の前記第一および第二の隣接セクション（I,III）のy＝0に向けたy値シフトを定義する値であり、値Tは前記入力信号xの現在の音響心理学的なマスキング・レベルによって決定され、
どの位置でも入力値xと対応する出力値yとの間の差はTより大きくなく、
前記種々の量子化器曲線は、x方向における完全な量子化器曲線の種々のシフトによってmの現在値に従って確立される、
ことを特徴とする方法。
【請求項２】
前記量子化は、y＝Qm(x)＋max(−T,min(T,α(x−Qm(x))))に従って実行され、
ここで、Qmはmの前記現在値に関係した量子化器曲線であり、αは前記量子化器曲線の前記中央セクション（II）の所定の急峻さである、請求項１記載の方法。
【請求項３】
前記量子化が周波数領域で実行される、請求項１または２記載の方法。
【請求項４】
請求項３記載の方法であって、前記量子化に先立って、前記入力信号xは時間から周波数への変換および相続くフレーム対毎の組み合わせを通され、前記フレーム対の一方のフレームは一つの現在フレームの実部を表すものとして扱われ、他方のフレームはその現在フレームの虚部を表すものとして扱われ、量子化された入力信号は相続くフレーム対毎の拡散を通され、前記フレーム対の一方のフレームは一つの現在フレームの実部を表すものとして扱われ、他方のフレームはその現在フレームの虚部を表すものとして扱われ、周波数から時間への変換を通されて前記透かし入れされた出力信号yを形成する、
方法。
【請求項５】
前記時間から周波数への変換がMDCTであり、前記周波数から時間への変換がIMDCTである、請求項４記載の方法。
【請求項６】
前記出力信号yが前記入力信号xの位相修正を制御する、請求項１ないし５のうちいずれか一項記載の方法。
【請求項７】
請求項２ないし６のうちいずれか一項記載の方法に従って処理されたもとの入力信号xを再現する方法であって、当該方法は：
・前記量子化器曲線を対応する仕方で使ってy＝Qm(x)＋max(−T,min(T,α(x−Qm(x))))に従って受領された透かし入れされた信号を再量子化する段階であって、x方向における完全な量子化器曲線の種々のシフトを適用することによって種々の候補量子化器曲線が検査され、前記再量子化は、もともと適用されたビット深さより大きなビット深さで実行される、段階と；
・周波数領域において最もよく一致する候補量子化器曲線を選択する段階と；
・前記選択された量子化器曲線に基づいて、対応する現在の透かしmを信号yから除去してそれにより前記再現された信号xを提供する段階とを含む、
方法。
【請求項８】
オーディオ入力信号xに透かし入れするための量子化インデックス変調の装置であって、種々の量子化器曲線が前記入力信号xを量子化するために使われ、量子化器曲線の現在の特性が、透かしメッセージmの現在の内容によって制御され、当該装置は：
・音響心理学的マスキング・レベル計算器と；
・透かし入れされた信号を出力するよう前記量子化を実行する埋め込み器とを含み、前記量子化器曲線は、三つの接続された線形セクション、すなわち出力値yがy＝αx、α＜1によって計算されるx値についての中央セクション（II）、出力値yがy＝x＋Tによって計算される負のx値についての第一の隣接セクション（I）および出力値yがy＝x−Tによって計算される正のx値についての第二の隣接セクション（III）からなり、
Tは前記量子化器曲線の前記第一および第二の隣接セクション（I,III）のy＝0に向けたy値シフトを定義する値であり、前記マスキング・レベル計算器において前記入力信号xの現在の音響心理学的なマスキング・レベルによって決定され、
どの位置でも入力値xと対応する出力値yとの間の差はTより大きくなく、
前記種々の量子化器曲線は、x方向における完全な量子化器曲線の種々のシフトによってmの現在値に従って確立される、
ことを特徴とする装置。
【請求項９】
前記量子化は、y＝Qm(x)＋max(−T,min(T,α(x−Qm(x))))に従って実行され、
ここで、Qmはmの前記現在値に関係した量子化器曲線であり、αは前記量子化器曲線の前記中央セクション（II）の所定の急峻さである、請求項８記載の装置。
【請求項１０】
前記量子化が周波数領域で実行される、請求項８または９記載の装置。
【請求項１１】
請求項１０記載の装置であって、
・前記埋め込み器の前に配置され、時間から周波数への変換およびフレーム対組み合わせのために適応された手段であって、相続くフレーム対毎の一方のフレームは一つの現在フレームの実部を表すものとして扱われ、他方のフレームはその現在フレームの虚部を表すものとして扱われる、手段と、
・前記埋め込み器の後に配置され、相続くフレーム対毎の拡散をするよう適応された手段であって、前記フレーム対の一方のフレームは一つの現在フレームの実部を表すものとして扱われ、他方のフレームはその現在フレームの虚部を表すものとして扱われ、前記手段はまた、周波数から時間への変換により前記透かし入れされた出力信号yを形成するよう適応されている、
装置。
【請求項１２】
前記時間から周波数への変換がMDCTであり、前記周波数から時間への変換がIMDCTである、請求項１１記載の装置。
【請求項１３】
前記出力信号yが前記入力信号xの位相修正を制御する、請求項８ないし１２のうちいずれか一項記載の装置。
【請求項１４】
請求項１ないし６のうちいずれか一項記載の方法に従ってエンコードされたデジタル・オーディオ信号。
【請求項１５】
請求項１４記載のデジタル・オーディオ信号を含むまたは記憶しているまたは記録している記憶媒体。
【手続補正２】
【補正対象書類名】明細書
【補正対象項目名】００４４
【補正方法】変更
【補正の内容】
【００４４】
本発明は次のような応用のために使用できる。
・オーディエンス測定を含むプロフェッショナルな作業フローにおけるコンテンツ追跡および法的鑑定；
・マークおよび関連する権利が透かしを交換することにより修正できる知的なDRM（digital  rights  management［デジタル権利管理］）；
・コンテンツの可逆な劣化；
・ビデオ透かし入れ。
本発明の処理は、拡散スペクトル・ベースの透かし入れ技法との関連で使われることもできる。
いくつかの付記を記載しておく。
〔付記１〕
入力信号xに透かし入れするための量子化インデックス変調の方法であって、種々の量子化手段曲線Qmが前記入力信号xを量子化するために使われ、前記量子化手段曲線の現在の特性が、透かしメッセージmの現在の内容によって制御され、前記量子化において、どの位置でも入力値と出力値の間の差がTより大きくなく、前記諸量子化曲線Qmは、任意の入力値xについて一意的な出力値yがあるという意味で可逆であり、
±Tは前記量子化手段曲線Qmの外側セクション（I,III）のy＝0に向けたyシフトを定義する値であり、前記入力信号xの現在の音響心理学的なマスキング・レベルによって決定され（２６）、yは透かし入れされた出力信号であり、
前記種々の量子化手段曲線Qmは、x方向における完全な量子化手段曲線の種々のシフトによってmの現在値に従って確立される、
ことを特徴とする方法。
〔付記２〕
入力信号xに透かし入れするための量子化インデックス変調の装置であって、種々の量子化手段曲線Qmが前記入力信号xを量子化するために使われ、前記量子化手段曲線の現在の特性が、透かしメッセージmの現在の内容によって制御され、当該装置は：
・音響心理学的マスキング・レベル計算器（２６）と；
・どの位置でも入力値と出力値の間の差がTより大きくない前記量子化を実行する埋め込み器（２３）とを含み、前記諸量子化曲線Qmは、任意の入力値xについて一意的な出力値yがあるという意味で可逆であり、
±Tは前記量子化手段曲線Qmの外側セクション（I,III）のy＝0に向けたyシフトを定義する値であり、前記入力信号xの現在の音響心理学的なマスキング・レベルによって決定され（２６）、yは透かし入れされた出力信号であり、
前記種々の量子化手段曲線Qmは、x方向における完全な量子化手段曲線の種々のシフトによってmの現在値に従って確立される、
ことを特徴とする装置。
〔付記３〕
前記量子化は、y＝Qm(x)＋max(−T,min(T,α(x−Qm(x))))に従って実行され（２３）、αは前記量子化手段曲線Qmの中間セクション（II）の所定の急峻さであり、±Tは前記量子化手段曲線Qmの他のセクション（I,III）のy＝0に向けたyシフトを定義する値であり、前記入力信号xの現在の音響心理学的なマスキング・レベルによって決定され（２６）、yは透かし入れされた出力信号である、付記１記載の方法または付記２記載の装置。
〔付記４〕
前記量子化が周波数領域で実行される、付記１もしくは３記載の方法または付記２もしくは３記載の装置。
〔付記５〕
付記４記載の方法であって、前記量子化に先立って、前記入力信号xは時間から周波数への変換（２１）および相続くフレーム対毎の組み合わせ（２２）を通され、前記フレーム対の一方のフレームは一つの現在フレームの実部を表すものとして扱われ、他方のフレームはその現在フレームの虚部を表すものとして扱われ、量子化（２３）された入力信号は相続くフレーム対毎の拡散（２４）を通され、前記フレーム対の一方のフレームは一つの現在フレームの実部を表すものとして扱われ、他方のフレームはその現在フレームの虚部を表すものとして扱われ、周波数から時間への変換（２５）を通されて前記透かし入れされた出力信号yを形成する方法、
または、
付記４記載の装置であって、
・前記埋め込み器（２３）の前に配置され、時間から周波数への変換およびフレーム対組み合わせのために適応された手段（２１、２２）であって、相続くフレーム対毎の一方のフレームは一つの現在フレームの実部を表すものとして扱われ、他方のフレームはその現在フレームの虚部を表すものとして扱われる、手段と、
・前記埋め込み器（２３）の後に配置され、相続くフレーム対毎の拡散をするよう適応された手段（２４、２５）であって、前記フレーム対の一方のフレームは一つの現在フレームの実部を表すものとして扱われ、他方のフレームはその現在フレームの虚部を表すものとして扱われ、前記手段（２４、２５）はまた、周波数から時間への変換（２５）により前記透かし入れされた出力信号yを形成するよう適応されている、
装置。
〔付記６〕
前記時間から周波数への変換がMDCTであり、前記周波数から時間への変換がIMDCTである、付記５記載の方法または付記５記載の装置。
〔付記７〕
前記出力信号yが前記入力信号xの位相修正を制御する、付記１および３ないし６のうちいずれか一項記載の方法または付記２ないし６のうちいずれか一項記載の装置。
〔付記８〕
前記入力信号xがオーディオ信号である、付記１および３ないし７のうちいずれか一項記載の方法または付記２ないし７のうちいずれか一項記載の装置。
〔付記９〕
付記３ないし８のうちいずれか一項記載の方法に従って処理されたもとの入力信号xを再現する方法であって、当該方法は：
・前記量子化手段曲線Qmを対応する仕方で使ってy＝Qm(x)＋max(−T,min(T,α(x−Qm(x))))に従って受領された透かし入れされた信号を再量子化する段階であって、x方向における完全な量子化手段曲線の種々のシフトを適用することによって種々の候補量子化手段曲線Qmが検査され、前記再量子化は、もともと適用されたビット深さより大きなビット深さで実行される、段階と；
・周波数領域において最もよく一致する候補量子化手段曲線Qmを選択する段階と；
・そのようにして決定された現在のQmに基づいて、対応する現在の透かしmを信号yから除去してそれにより前記再現された信号xを提供する段階とを含む、
方法。
〔付記１０〕
付記１および３ないし８のうちいずれか一項記載の方法に従ってエンコードされたデジタル・オーディオまたはビデオ信号。
〔付記１１〕
付記１０記載のデジタル・オーディオまたはビデオ信号を含むまたは記憶しているまたは記録している記憶媒体、たとえば光ディスク。